(57)【要約】【課題】  かさ張らず運搬が容易で現場での設置の手間がかからず、埋め戻しによる土圧やコンクリートの打設による内圧で変形しない、基礎コンクリートの捨型枠を提供する。【解決手段】  平面視が略Ｌの字状の捨型枠20の四個を互いの端部を四角形に組み合わせたものであって、その接合部に互いに接当する第一接当部21と第二接当部23を設け、第一接当部21の先端部から突出した突起部22を設け、第二接当部23の先端部から突起部22を外側からほぼ包み込む形状の突起包含部24を設け、コンクリートの打設前に少し埋め戻して捨型枠20を安定化させる。【選択図】図４
2014055462.tif 000002
【特許請求の範囲】
【請求項１】
平面視が略Ｌの字状の捨型枠の四個を互いの端部を四角形に組み合わせたものであって、その組み合わせ接合部に直角に曲げられ互いに接当する第一接当部と第二接当部を設け、第一接当部の先端部から両直角方向に突出した突起部を設け、第二接当部の先端部から突起部を外側からほぼ包み込む形状の突起包含部を設け、捨型枠の突起包含部に突起部を通して四角形に組み合わせ、コンクリートの打設前に少し或いはほぼ全部埋め戻して捨型枠を安定化させる基礎コンクリートの捨型枠。
【請求項２】
突起部が第一接当部の先端部からＪの字状に一枚の板を曲げて形成したものであり、突起包含部が第二接当部の先端部からＣの字状に一枚の板を曲げて形成した請求項１記載の基礎コンクリートの捨型枠。
【請求項３】
平面視が略Ｌの字状の捨型枠の四個を互いの端部を四角形に組み合わせたものであって、その組み合わせ接合部に内方に直角に曲げられ互いに接当する第一接当部と第二接当部を設け、第一接当部の先端部から戻り方向に直角に突出した突起部を設け、第二接当部の先端部から突起部を外側からほぼ包み込む形状の突起包含部を設け、捨型枠の突起包含部に突起部を通して四角形に組み合わせ、コンクリートの打設前にほぼ全部埋め戻して捨型枠を安定化させる基礎コンクリートの捨型枠。
【請求項４】
平面視が略Ｌの字状の捨型枠の四個を互いの端部を四角形に組み合わせたものであって、その組み合わせ接合部に外方に直角に曲げられ互いに接当する第一接当部と第二接当部を設け、第一接当部の先端部から戻り方向に直角に突出した突起部を設け、第二接当部の先端部から突起部を外側からほぼ包み込む形状の突起包含部を設け、捨型枠の突起包含部に突起部を通して四角形に組み合わせ、コンクリートの打設前に少し埋め戻して捨型枠を安定化させる基礎コンクリートの捨型枠。
【発明の詳細な説明】
【技術分野】
【０００１】
本発明は、野立ての太陽電池設置架台用等の独立基礎の基礎コンクリートの捨型枠に関する。
【背景技術】
【０００２】
太陽電池は地球環境の点からも注目され普及が進んでいる。そのメガソーラーと言われるような多数の太陽電池モジュールの設置は、広い敷地に設置用架台を東西方向に連ねて立て、太陽電池モジュールはその設置用架台に南向きに並べて設置する。
【０００３】
通常の太陽電池設置架台用の独立基礎の基礎コンクリートは、工場で多数の型枠にコンクリートを打設し、固まった後に型枠を外してから設置現場に運ばれ、基礎地盤に埋め込まれる。
【０００４】
この方法であれば、現地での施工期間が短縮される。しかし、大量の重い基礎コンクリートを遠路まで運ぶのでは、この運賃が膨大にかかってしまう。
【０００５】
そのため、場所打ちコンクリートで基礎を築造することも考えられるが、養生期間と型枠の解体の手間がかかる。
【０００６】
そこで、組立式の型枠を現場で組み立て、その中にコンクリートを打設し、養生してある程度固まった後に型枠を外さずに埋め戻す、捨型枠が知られている。
【０００７】
この捨型枠による基礎としては、実公昭４７−１０１１２号公報に示されるように、台形で折曲部を有する薄鈑製パネル１と、台形の薄鈑製パネル２とを抱合せるように組合せて束石型を構成せしめ、内部にモルタルを充?してなる組立式フェンス用鉄柱の基礎が知られている。
【０００８】
この組立式フェンス用鉄柱の基礎では、束石ブロックを運搬するに比し運搬に便利であり、現場打ちのコンクリートで容易に施工し得るものとされている。
【０００９】
また同様に、特許第３２４０９６４号公報に示されるように、４枚の鋼板パネル１を長方形に組んだ折り畳み型枠を固定し、この状態でコンクリートを打設することにより、折り畳み型枠を捨て型枠として杭頭部に杭基礎を構成する鉄筋コンクリート製のフーチングが形成される。４枚の鋼板パネル１は互いに隣り合う縁が接合部材としての連結シート５で連結され、連結シート５は引張り強度が高く曲げ追随性の良い合成樹脂シート（例えば、コンベアベルトに用いられているようなものが利用できる）に取付け孔を開けたものであり、鋼板パネル１の縁に開けられた孔にボルト６等で接合することにより、パネルどうしを折り畳み可能な状態で連結することができる杭基礎の構築方法が知られている。
【００１０】
この杭基礎の構築方法では、型枠、アンカーボルトの設置、配筋等に専門の職種を必要とすることなく杭基礎が構築できるとともに、施工後の型枠の解体・掃除が省略できるため、工期を短縮することができるものとされている。
【００１１】
また、コンクリートの打設前に埋め戻す捨型枠も知られている。
【００１２】
この打設前に埋め戻す捨型枠としては、特許第３２４５２６２号公報に示されるように、構築しようとする地中梁の形状，大きさに略合致するように地盤に根切り溝を堀溝し、根切り溝の底部に採石や捨てコンクリートの施工をせずに埋殺しとなる有底上部開放形の捨型枠を根切り溝の外部で組立てて根切り溝の上方から落込んで据え付ける建込みを行い、その後直ちに捨型枠の周囲を埋戻して、捨型枠の内部に鉄筋を配筋してコンクリートを打設する地中梁の施工方法が知られている。
【００１３】
この地中梁の施工方法では、地中梁用の根切り溝１の側壁と地中梁用の捨型枠８の側壁とを削土９で押圧して、地中梁用の根切り溝１の内部での地中梁用の捨型枠８の安定化に寄与する。作業足場を必要とするような根切り溝の大きな開口が形成，継続されず、捨型枠が有底形で底板により割栗石，捨コンクリートを代替えすることができるため、根切り溝の割栗石，捨コンクリートの施工と作業足場の架設とを不要にすることができる効果が生ずる。また、この効果により、施工コストが低減され施工期間が短縮される効果があるとされている。
【先行技術文献】
【特許文献】
【００１４】
【特許文献１】実公昭４７−１０１１２号公報
【特許文献２】特許第３２４０９６４号公報
【特許文献３】特許第３２４５２６２号公報
【発明の概要】
【発明が解決しようとする課題】
【００１５】
先に示した、実公昭４７−１０１１２号公報の捨型枠では、両端にＬの字状の折曲部を有する薄鈑製パネル１と、両端にＵの字状の折曲部を有する薄鈑製パネル２とを抱合せるように組合せて構成せしめたもので、コンクリートの打設による内圧を受け止めることはできるが、埋め戻しによる土圧である外圧を受けると崩壊する。つまりこの捨型枠は、コンクリートを打設し、養生してある程度固まった後に型枠を外さずに埋め戻すことが必須である。
【００１６】
しかし、この場合には基礎地盤と捨型枠の拘束手段が示されていないので、コンクリートの打設による勢いで捨型枠が動いてしまう可能性があり、組立式フェンス用鉄柱の間隔が不揃いとなりフェンスの設置が困難となる恐れがある。
【００１７】
また、特許第３２４０９６４号公報の捨型枠では、鋼板パネル１の上下の縁は曲げ加工され、下部折り曲げ部２には捨てコンクリートに固定するためのホールインアンカーまたはコンクリート釘７用の孔９が開いている。また、上部折り曲げ部３にはタイバー４を接合するための孔１０が開いているもので、釘７やタイバー４で固定することにより、コンクリートの打設による勢いで捨型枠が動いたり膨らんだりするのを防いでいる。
【００１８】
しかし、鋼板パネル１を多数の釘７やタイバー４を多数のボルト８によって固定するもので、現場での設置の手間がかかるものとなっている。また、パネルどうしを折り畳み可能な状態で連結しているため、直角を出すのに治具が必要となる。
【００１９】
また、特許第３２４５２６２号公報の捨型枠では、根切り溝１の側壁と捨型枠８の側壁とを削土９で押圧して、根切り溝１の内部での捨型枠８の安定化に寄与することが示されているが、捨型枠８が埋め戻した削土９による押圧にいかに抗するかが示されておらず、捨型枠８の上部が内側に変形する恐れがある。
【００２０】
つまり、コンクリートの打設による勢いで捨型枠が動くのを簡便に防ぐには、コンクリートの打設前に少し或いはほぼ全部埋め戻して捨型枠を安定化させると良い。そのためには、埋め戻しによる土圧により捨型枠が変形したり、コンクリートの打設による内圧で捨型枠が膨らんだりするのを防ぐ構造が必要となる。
【００２１】
そこで本発明は、かさ張らず運搬が容易で現場での設置の手間がかからず、埋め戻しによる土圧やコンクリートの打設による内圧で変形しない、基礎コンクリートの捨型枠を提供することを目的とする。
【課題を解決するための手段】
【００２２】
請求項１の発明の基礎コンクリートの捨型枠は、平面視が略Ｌの字状の捨型枠20，40の四個を互いの端部を四角形に組み合わせたものであって、その組み合わせ接合部に直角に曲げられ互いに接当する第一接当部21，41と第二接当部23，43を設け、第一接当部21，41の先端部から両直角方向に突出した突起部22，42を設け、第二接当部23，43の先端部から突起部22，42を外側からほぼ包み込む形状の突起包含部24，44を設け、捨型枠20，40の突起包含部24，44に突起部22，42を通して四角形に組み合わせ、コンクリートの打設前に少し或いはほぼ全部埋め戻して捨型枠20，40を安定化させるものである。
【００２３】
請求項２の発明の基礎コンクリートの捨型枠は、突起部22，42が第一接当部21，41の先端部からＪの字状に一枚の板を曲げて形成したものであり、突起包含部24，44が第二接当部23，43の先端部からＣの字状に一枚の板を曲げて形成したものである。
【００２４】
請求項３の発明の基礎コンクリートの捨型枠は、平面視が略Ｌの字状の捨型枠50の四個を互いの端部を四角形に組み合わせたものであって、その組み合わせ接合部に内方に直角に曲げられ互いに接当する第一接当部51と第二接当部53を設け、第一接当部51の先端部から戻り方向に直角に突出した突起部52を設け、第二接当部53の先端部から突起部52を外側からほぼ包み込む形状の突起包含部54を設け、捨型枠50の突起包含部54に突起部52を通して四角形に組み合わせ、コンクリートの打設前にほぼ全部埋め戻して捨型枠50を安定化させるものである。
【００２５】
請求項４の発明の基礎コンクリートの捨型枠は、平面視が略Ｌの字状の捨型枠60の四個を互いの端部を四角形に組み合わせたものであって、その組み合わせ接合部に外方に直角に曲げられ互いに接当する第一接当部61と第二接当部63を設け、第一接当部61の先端部から戻り方向に直角に突出した突起部62を設け、第二接当部63の先端部から突起部62を外側からほぼ包み込む形状の突起包含部64を設け、捨型枠60の突起包含部64に突起部62を通して四角形に組み合わせ、コンクリートの打設前に少し埋め戻して捨型枠60を安定化させるものである。
【発明の効果】
【００２６】
請求項１の発明によれば、平面視が略Ｌの字状の捨型枠20，40の四個を互いの端部を四角形に組み合わせたものとしたから、一個の捨型枠20，40は略Ｌの字状となり積み重ねられるので、かさ張らず運搬が容易となる。
【００２７】
また、捨型枠20，40の突起包含部24，44に突起部22，42を通して四角形に組み合わせるものとしたから、多数のボルトなどを必要とせず、現場での設置の手間がかからない。
【００２８】
また、捨型枠20，40の組み合わせ接合部に直角に曲げられ互いに接当する第一接当部21，41と第二接当部23，43を設け、第一接当部21，41の先端部から両直角方向に突出した突起部22，42を設け、第二接当部23，43の先端部から突起部22，42を外側からほぼ包み込む形状の突起包含部24，44を設けたから、第一接当部21，41と第二接当部23，43および突起部22，42と突起包含部24，44が接当して変形に抗することにより、埋め戻しによる土圧やコンクリートの打設による内圧で変形しない。
【００２９】
請求項２の発明によれば、突起部22，42が第一接当部21，41の先端部からＪの字状に一枚の板を曲げて形成したものであり、突起包含部24，44が第二接当部23，43の先端部からＣの字状に一枚の板を曲げて形成したものであるから、第一接当部21，41や突起包含部24，44を溶接構造などで付け足すものでは無く、安価に提供できる。
【００３０】
請求項３の発明によれば、捨型枠50の組み合わせ接合部に内方に直角に曲げられ互いに接当する第一接当部51と第二接当部53を設け、第一接当部51の先端部から戻り方向に直角に突出した突起部52を設け、第二接当部53の先端部から突起部52を外側からほぼ包み込む形状の突起包含部54を設けたから、第一接当部51と第二接当部53および突起部52と突起包含部54が接当して変形に抗することにより、埋め戻しによる土圧で変形しない。
【００３１】
請求項４の発明によれば、捨型枠60の組み合わせ接合部に外方に直角に曲げられ互いに接当する第一接当部61と第二接当部63を設け、第一接当部61の先端部から戻り方向に直角に突出した突起部62を設け、第二接当部63の先端部から突起部62を外側からほぼ包み込む形状の突起包含部64を設けたから、第一接当部61と第二接当部63および突起部62と突起包含部64が接当して変形に抗することにより、コンクリートの打設による内圧で変形しない。
【図面の簡単な説明】
【００３２】
【図１】図１は基礎コンクリートの捨型枠の実施例１を示す側面図である。
【図２】図２は図１の部分正面図である。
【図３】図３は図２の平面図である。
【図４】図４は図３の一個の捨型枠を示す部分拡大図である。
【図５】図５は図４の部分拡大図である。
【図６】図６は図４の部分拡大図である。
【図７】図７は図３の部分拡大図である。
【図８】図８は図７の別な例を示す図である。
【図９】図９は図４の実施例２を示す図である。
【図１０】図１０は図７の実施例３を示す図である。
【図１１】図１１は図７の実施例４を示す図である。
【発明を実施するための形態】
【００３３】
かさ張らず運搬が容易で現場での設置の手間がかからず、埋め戻しによる土圧やコンクリートの打設による内圧で変形しない、基礎コンクリートの捨型枠を提供する目的を、平面視が略Ｌの字状の捨型枠20，40の四個を互いの端部を四角形に組み合わせたものであって、その組み合わせ接合部に直角に曲げられ互いに接当する第一接当部21，41と第二接当部23，43を設け、第一接当部21，41の先端部から両直角方向に突出した突起部22，42を設け、第二接当部23，43の先端部から突起部22，42を外側からほぼ包み込む形状の突起包含部24，44を設け、捨型枠20，40の突起包含部24，44に突起部22，42を通して四角形に組み合わせ、コンクリートの打設前に少し或いはほぼ全部埋め戻して捨型枠20，40を安定化させることで実現した。
【００３４】
また、かさ張らず運搬が容易で現場での設置の手間がかからず、埋め戻しによる土圧で変形しない、基礎コンクリートの捨型枠を提供する目的を、平面視が略Ｌの字状の捨型枠50の四個を互いの端部を四角形に組み合わせたものであって、その組み合わせ接合部に内方に直角に曲げられ互いに接当する第一接当部51と第二接当部53を設け、第一接当部51の先端部から戻り方向に直角に突出した突起部52を設け、第二接当部53の先端部から突起部52を外側からほぼ包み込む形状の突起包含部54を設け、捨型枠50の突起包含部54に突起部52を通して四角形に組み合わせ、コンクリートの打設前にほぼ全部埋め戻して捨型枠50を安定化させることで実現した。
【００３５】
また、かさ張らず運搬が容易で現場での設置の手間がかからず、コンクリートの打設による内圧で変形しない、基礎コンクリートの捨型枠を提供する目的を、平面視が略Ｌの字状の捨型枠60の四個を互いの端部を四角形に組み合わせたものであって、その組み合わせ接合部に外方に直角に曲げられ互いに接当する第一接当部61と第二接当部63を設け、第一接当部61の先端部から戻り方向に直角に突出した突起部62を設け、第二接当部63の先端部から突起部62を外側からほぼ包み込む形状の突起包含部64を設け、捨型枠60の突起包含部64に突起部62を通して四角形に組み合わせ、コンクリートの打設前に少し埋め戻して捨型枠60を安定化させることで実現した。
【実施例１】
【００３６】
図１から図７は、本発明の実施例１に係る基礎コンクリート10の捨型枠20である。
【００３７】
図１には、基礎コンクリート10として野立ての太陽電池設置架台１用のものを示している。太陽電池設置架台１には複数の太陽電池モジュール２が設置される。
【００３８】
基礎コンクリート10は基礎地盤Ｅに根掘りし砕石13を敷設し転圧して、平面視が略Ｌの字状の捨型枠20の四個を互いの端部を四角形に組み合わせたものを砕石13の上に載せ捨型枠20を所定位置に位置決めし、コンクリート11の打設前に少し埋め戻して捨型枠20を安定化させる。アンカーボルト12を桟木などで固定しコンクリート11を打設する。コンクリート11を養生してある程度固まった後に全部埋め戻す。
【００３９】
実施例では、基礎コンクリート10の大きさが縦横各１メートル、高さが２メートルで、重さが４．６トンとした。また、平面視が略Ｌの字状の捨型枠20の一辺の長さが約０．５メートルとなり、板厚が１．６ミリメートルの鋼板で形成し重さが約３０キログラムとした。
【００４０】
捨型枠20の組み合わせ接合部に、外方に直角に曲げられた第一接当部21と第二接当部23を設ける。第一接当部21と第二接当部23はその外側面で互いに接当する。実施例では、第一接当部21の長さを約２８ミリメートル、第二接当部23の長さを約２６ミリメートルとした。
【００４１】
第一接当部21の先端部から両直角方向に突出した突起部22を設ける。突起部22が第一接当部21の先端部からＪの字状に一枚の板を曲げて形成したものであり、第一接当部21と突起部22を合わせると略Ｔの字状に形成される。実施例では、突起部22の長さを約２４ミリメートルとした。
【００４２】
第二接当部23の先端部から突起部22を外側からほぼ包み込む形状の突起包含部24を設ける。突起包含部24が第二接当部23の先端部からＣの字状に一枚の板を曲げて形成したものである。
【００４３】
図７に示すように、各々の捨型枠20の突起包含部24に突起部22を通して、四個を互いの端部を四角形に組み合わせ、第一接当部21と第二接当部23はその外側面で互いに接当する。つまり、各々の捨型枠20は垂直方向には自由に移動できるが、水平方向には移動できない。
【００４４】
砕石13の転圧が不充分などで、各々の捨型枠20の高さが不揃いになる懸念があれば、図８に示すように第一接当部21と第二接当部23の中間部をボルト31とナット32で挟んで固定しても良い。また、シャコ万などのクランプで一時的に第一接当部21と第二接当部23の上部を挟んで固定しても良い。
【００４５】
埋め戻しによる外側からの土圧には、第一接当部21と第二接当部23は離れる方向となり、突起部22と突起包含部24が接当して変形に抗することにより変形しない。また、コンクリートの打設による内圧には、第一接当部21と第二接当部23および突起部22と突起包含部24が接当して変形に抗することにより変形しない。つまり実施例では、捨型枠20はコンクリートの打設による内圧の方が埋め戻しによる土圧より耐えられる。
【００４６】
コンクリートの打設前に少し埋め戻して捨型枠20を安定化させるが、埋め戻しの程度はコンクリート11の打設による勢いに耐えられる、その高さの２〜３割程度が良い。
【実施例２】
【００４７】
図９は、本発明の実施例２に係る基礎コンクリート10の捨型枠40である。
【００４８】
以下に説明する以外は実施例１の捨型枠20と同じとする。
【００４９】
平面視が略Ｌの字状の捨型枠40の四個を互いの端部を四角形に組み合わせたものを砕石13の上に載せ捨型枠40を所定位置に位置決めし、コンクリート11の打設前にほぼ全部埋め戻して捨型枠40を安定化させる。
【００５０】
捨型枠40の組み合わせ接合部に、内方に直角に曲げられた第一接当部41と第二接当部43を設ける。第一接当部41と第二接当部43はその外側面で互いに接当する。実施例では、第一接当部41の長さを約２８ミリメートル、第二接当部43の長さを約２６ミリメートルとした。
【００５１】
第一接当部41の先端部から両直角方向に突出した突起部42を設ける。突起部42が第一接当部41の先端部からＪの字状に一枚の板を曲げて形成したものであり、第一接当部41と突起部42を合わせると略Ｔの字状に形成される。実施例では、突起部42の長さを約２４ミリメートルとした。
【００５２】
第二接当部43の先端部から突起部42を外側からほぼ包み込む形状の突起包含部44を設ける。突起包含部44が第二接当部43の先端部からＣの字状に一枚の板を曲げて形成したものである。
【００５３】
各々の捨型枠40の突起包含部44に突起部42を通して、四個を互いの端部を四角形に組み合わせ、第一接当部41と第二接当部43はその外側面で互いに接当する。つまり、各々の捨型枠40は垂直方向には自由に移動できるが、水平方向には移動できない。
【００５４】
埋め戻しによる外側からの土圧には、第一接当部41と第二接当部43および突起部42と突起包含部44が接当して変形に抗することにより変形しない。また、コンクリートの打設による内圧には、第一接当部41と第二接当部43は離れる方向となるが、突起部42と突起包含部44が接当して変形に抗すること、およびコンクリート11の打設前にほぼ全部埋め戻して捨型枠40を安定化させていることにより変形しない。つまり実施例では、捨型枠40は埋め戻しによる土圧の方がコンクリートの打設による内圧より耐えられる。
【実施例３】
【００５５】
図１０は、本発明の実施例３に係る基礎コンクリート10の捨型枠50である。
【００５６】
以下に説明する以外は実施例１の捨型枠20と同じとする。
【００５７】
平面視が略Ｌの字状の捨型枠50の四個を互いの端部を四角形に組み合わせたものを砕石13の上に載せ捨型枠50を所定位置に位置決めし、コンクリート11の打設前にほぼ全部埋め戻して捨型枠50を安定化させる。
【００５８】
捨型枠50の組み合わせ接合部に、内方に直角に曲げられた第一接当部51と第二接当部53を設ける。第一接当部51と第二接当部53はその外側面で互いに接当する。実施例では、第一接当部51の長さを約３０ミリメートル、第二接当部53の長さを約３２ミリメートルとした。
【００５９】
第一接当部51の先端部から戻り方向に直角に突出した突起部52を設ける。突起部52が第一接当部51の先端部からＬの字状に一枚の板を曲げて形成したものである。実施例では、突起部52の長さを約２３ミリメートルとした。
【００６０】
第二接当部53の先端部から突起部52を外側からほぼ包み込む形状の突起包含部54を設ける。突起包含部54が第二接当部53の先端部からＪの字状に一枚の板を曲げて形成したものである。
【００６１】
各々の捨型枠50の突起包含部54に突起部52を通して、四個を互いの端部を四角形に組み合わせ、第一接当部51と第二接当部53はその外側面で互いに接当する。つまり、各々の捨型枠50は垂直方向には自由に移動できるが、水平方向には移動できない。
【００６２】
埋め戻しによる外側からの土圧には、第一接当部51と第二接当部53および突起部52と突起包含部54が接当して変形に抗することにより変形しない。また、コンクリートの打設による内圧には、第一接当部51と第二接当部53は離れる方向となるが、突起部52と突起包含部54が接当して変形に抗すること、およびコンクリート11の打設前にほぼ全部埋め戻して捨型枠50を安定化させていることにより変形しない。つまり実施例では、捨型枠50は埋め戻しによる土圧の方がコンクリートの打設による内圧より耐えられる。
【実施例４】
【００６３】
図１１は、本発明の実施例４に係る基礎コンクリート10の捨型枠60である。
【００６４】
以下に説明する以外は実施例１の捨型枠20と同じとする。
【００６５】
平面視が略Ｌの字状の捨型枠60の四個を互いの端部を四角形に組み合わせたものを砕石13の上に載せ捨型枠60を所定位置に位置決めし、コンクリート11の打設前に少し埋め戻して捨型枠60を安定化させる。
【００６６】
捨型枠60の組み合わせ接合部に、外方に直角に曲げられた第一接当部61と第二接当部63を設ける。第一接当部61と第二接当部63はその外側面で互いに接当する。実施例では、第一接当部61の長さを約３０ミリメートル、第二接当部63の長さを約３２ミリメートルとした。
【００６７】
第一接当部61の先端部から戻り方向に直角に突出した突起部62を設ける。突起部62が第一接当部61の先端部からＬの字状に一枚の板を曲げて形成したものである。実施例では、突起部62の長さを約２３ミリメートルとした。
【００６８】
第二接当部63の先端部から突起部62を外側からほぼ包み込む形状の突起包含部64を設ける。突起包含部64が第二接当部63の先端部からＪの字状に一枚の板を曲げて形成したものである。
【００６９】
各々の捨型枠60の突起包含部64に突起部62を通して、四個を互いの端部を四角形に組み合わせ、第一接当部61と第二接当部63はその外側面で互いに接当する。つまり、各々の捨型枠60は垂直方向には自由に移動できるが、水平方向には移動できない。
【００７０】
埋め戻しによる外側からの土圧には、第一接当部61と第二接当部63は離れる方向となり、突起部62と突起包含部64が接当して変形に抗することにより変形しない。また、コンクリートの打設による内圧には、第一接当部61と第二接当部63および突起部62と突起包含部64が接当して変形に抗することにより変形しない。つまり実施例では、捨型枠60はコンクリートの打設による内圧の方が埋め戻しによる土圧より耐えられる。
【００７１】
以上の実施例では、基礎コンクリート10として野立ての太陽電池設置架台１用の例を示したが、防雪柵などの独立基礎であれば良い。
【００７２】
また、捨型枠20，40，50，60が平面視で正方形に組み合わせた例を示したが、捨型枠20，40，50，60は平面視で長方形に組み合わせても良い。
【００７３】
また、平面視が略Ｌの字状の捨型枠20，40，50，60の四個を互いの端部を直接的に四角形に組み合わせた例を示したが、互いの捨型枠20，40，50，60の間に繋板を設けて間接的に組み合わせても良い。
【００７４】
また、捨型枠20，40，50，60が垂直方向には一段の例を示したが、捨型枠20，40，50，60が重くて取り扱いが困難であれば、その高さを低くして複数段に積み重ねるようにしても良い。
【符号の説明】
【００７５】
20  捨型枠
21  第一接当部
22  突起部
23  第二接当部
24  突起包含部
40  捨型枠
41  第一接当部
42  突起部
43  第二接当部
44  突起包含部
50  捨型枠
51  第一接当部
52  突起部
53  第二接当部
54  突起包含部
60  捨型枠
61  第一接当部
62  突起部
63  第二接当部
64  突起包含部
【図１】
2014055462.tif 000003
【図２】
2014055462.tif 000004
【図３】
2014055462.tif 000005
【図４】
2014055462.tif 000006
【図５】
2014055462.tif 000007
【図６】
2014055462.tif 000008
【図７】
2014055462.tif 000009
【図８】
2014055462.tif 000010
【図９】
2014055462.tif 000011
【図１０】
2014055462.tif 000012
【図１１】
2014055462.tif 000013